(57)【特許請求の範囲】
【請求項１】
機体フレーム（１）の前側に圃場の穀稈を収穫する刈取前処理装置（３）を設け、該刈取前処理装置（３）の後方左側に収穫された穀稈の脱穀を行う脱穀装置（４）を設け、前記刈取前処理装置（３）の後方右側に操縦者が搭乗する操縦部（５）を設け、該操縦部（５）の下方にエンジンを搭載するエンジンルーム（６）を設けたコンバインにおいて、
前記刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を前記脱穀装置（４）に搬送するフィーダハウス（３Ｄ）を備え、
前記フィーダハウス（３Ｄ）の枠体（１０）の上壁に、ステー（５０）に支持された吸塵ファン（４０）を設け、
側面視において、前記刈取前処理装置（３）を待機位置に上昇させた場合に、前記吸塵ファン（４０）が操縦部（５）のサイドパネル（５Ｂ）よりも上方に位置し、
前記吸塵ファン（４０）の送風方向を変更可能に構成したことを特徴とするコンバイン。
【請求項２】
前記吸塵ファン（４０）を支持する第１回転軸（４１Ａ）とステー（５０）に設けられた第２回転軸（４１Ｂ）を自在継手（４１Ｃ）で連結した請求項１記載のコンバイン。
【請求項３】
前記第１回転軸（４１Ａ）が内嵌された第１筒部（５３Ａ）と第２回転軸（４１Ｂ）が内嵌された第２筒部（５３Ｂ）を扇状の調整プレート（６２）で連結し、
該調整プレート（６２）の基部を、前記第２筒部（５３Ｂ）に固定し、
前記調整プレート（６２）の先端部と第１筒部（５３Ａ）の間にバネ座金（６７）を設け、
前記調整プレート（６２）の先端部を、前記調整プレート（６２）の先端部に形成された円弧状の溝部（６２Ａ）に挿入された締結手段（６３）で着脱自在に固定した請求項２記載のコンバイン。
【請求項４】
前記第１筒部（５３Ａ）に、前記第１筒部（５３Ａ）に沿って延在する操作レバー（６４）を設け、
該操作レバー（６４）の端部を、前記操縦部（５）に臨ませた請求項３記載のコンバイン。
【請求項５】
前記枠体（１０）の上壁に開閉自在な蓋カバー（６５）を設け、該蓋カバー（６５）の左部に左側上方に折曲げた左傾斜部（６５Ａ）を形成した請求項１〜４のいずれか１項に記載のコンバイン。
【請求項６】
平面視において、前記枠体（１０）の上壁における右側前部に、前記吸塵ファン（４０）を設けた請求項１〜５のいずれか１項に記載のコンバイン。
【請求項７】
前記第２回転軸（４１）の右部に第１プーリ（４４）を支持し、
前記フィーダハウス（３Ｄ）の前後方向の中間部に、前記エンジンの出力回転が伝動される左右方向に延在する第３回転軸（１３）を設け、
前記第３回転軸（１３）におけるフィーダハウス（３Ｄ）の右壁よりも右側に延出する部位に第２プーリ（４３）を支持し、
前記第１プーリ（４４）と第２プーリ（４３）にベルト（４５）を巻回した請求項１〜６のいずれか１項に記載のコンバイン。
【発明の詳細な説明】
【技術分野】
【０００１】
本発明は、刈取前処理装置を備えたコンバインに関するものである。
【背景技術】
【０００２】
従来、刈取前処理装置のオーガ装置内で巻き上がる塵埃を集塵すると共に、フィーダハウス内に滞留する塵埃を外部に排出するために、フィーダハウスの枠体の右壁に吸引ファンを設け、フィーダハウスの枠体の左壁に吸塵口を技術が知られている。（特許文献１）
【先行技術文献】
【特許文献】
【０００３】
【特許文献１】特開２０１２−１１５１６１号公報
【発明の概要】
【発明が解決しようとする課題】
【０００４】
しかし、特許文献１に開示された技術では、刈取前処理装置のオーガ装置から操縦部に飛来してきた塵埃によって操縦部の操作環境が悪化する恐れがあった。また、吸塵ファンによって操縦部から外部に排出された塵埃が再び操縦部に戻ってくる恐れがあった。
【０００５】
そこで、本発明の課題は、刈取前処理装置のオーガ装置から操縦部に飛来してきた塵埃を集塵すると共に、操縦部から外部に排出された塵埃が再び操縦部に戻ってくるのを抑制することができるコンバインを提供することにある。
【課題を解決するための手段】
【０００６】
上記課題を解決した本発明は次記のとおりである。
請求項１に係る発明は、機体フレーム（１）の前側に圃場の穀稈を収穫する刈取前処理装置（３）を設け、該刈取前処理装置（３）の後方左側に収穫された穀稈の脱穀を行う脱穀装置（４）を設け、前記刈取前処理装置（３）の後方右側に操縦者が搭乗する操縦部（５）を設け、該操縦部（５）の下方にエンジンを搭載するエンジンルーム（６）を設けたコンバインにおいて、
前記刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を前記脱穀装置（４）に搬送するフィーダハウス（３Ｄ）を備え、前記フィーダハウス（３Ｄ）の枠体（１０）の上壁に、ステー（５０）に支持された吸塵ファン（４０）を設け、側面視において、前記刈取前処理装置（３）を待機位置に上昇させた場合に、前記吸塵ファン（４０）が操縦部（５）のサイドパネル（５Ｂ）よりも上方に位置し、前記吸塵ファン（４０）の送風方向を変更可能に構成したことを特徴とするコンバインである。
【０００７】
請求項２に係る発明は、前記吸塵ファン（４０）を支持する第１回転軸（４１Ａ）とステー（５０）に設けられた第２回転軸（４１Ｂ）を自在継手（４１Ｃ）で連結した請求項１記載のコンバインである。
【０００８】
請求項３に係る発明は、前記第１回転軸（４１Ａ）が内嵌された第１筒部（５３Ａ）と第２回転軸（４１Ｂ）が内嵌された第２筒部（５３Ｂ）を扇状の調整プレート（６２）で連結し、該調整プレート（６２）の基部を、前記第２筒部（５３Ｂ）に固定し、前記調整プレート（６２）の先端部と第１筒部（５３Ａ）の間にバネ座金（６７）を設け、前記調整プレート（６２）の先端部を、前記調整プレート（６２）の先端部に形成された円弧状の溝部（６２Ａ）に挿入された締結手段（６３）で着脱自在に固定した請求項２記載のコンバインである。
【０００９】
請求項４に係る発明は、前記第１筒部（５３Ａ）に、前記第１筒部（５３Ａ）に沿って延在する操作レバー（６４）を設け、該操作レバー（６４）の端部を、前記操縦部（５）に臨ませた請求項３記載のコンバインである。
【００１０】
請求項５に係る発明は、前記枠体（１０）の上壁に開閉自在な蓋カバー（６５）を設け、該蓋カバー（６５）の左部に左側上方に折曲げた左傾斜部（６５Ａ）を形成した請求項１〜４のいずれか１項に記載のコンバインである。
【００１１】
請求項６に係る発明は、平面視において、前記枠体（１０）の上壁における右側前部に、前記吸塵ファン（４０）を設けた請求項１〜５のいずれか１項に記載のコンバインである。
【００１２】
請求項７に係る発明は、前記第２回転軸（４１）の右部に第１プーリ（４４）を支持し、前記フィーダハウス（３Ｄ）の前後方向の中間部に、前記エンジンの出力回転が伝動される左右方向に延在する第３回転軸（１３）を設け、前記第３回転軸（１３）におけるフィーダハウス（３Ｄ）の右壁よりも右側に延出する部位に第２プーリ（４３）を支持し、前記第１プーリ（４４）と第２プーリ（４３）にベルト（４５）を巻回した請求項１〜６のいずれか１項に記載のコンバインである。
【発明の効果】
【００１３】
請求項１記載の発明によれば、刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を脱穀装置（４）に搬送するフィーダハウス（３Ｄ）を備え、フィーダハウス（３Ｄ）の枠体（１０）の上壁に、ステー（５０）に支持された吸塵ファン（４０）を設け、側面視において、刈取前処理装置（３）を待機位置に上昇させた場合に、吸塵ファン（４０）が操縦部（５）のサイドパネル（５Ｂ）よりも上方に位置し、吸塵ファン（４０）の送風方向を変更可能に構成したので、刈取前処理装置（３）のオーガ装置（３Ｃ）から操縦部（５）に飛来してくる塵埃を集塵ファン（４０）で集塵して操縦部（５）の外部に排出することができる。また、吸塵ファン（４０）から送風される風の方向を任意に選択でき、例えば、吸塵ファン（４０）から送風される風の方向を左側後方に設定した場合には、操縦部（５）の外部に排出された塵埃が操縦部（５）に逆戻りするのを防止することができる。
【００１４】
請求項２記載の発明によれば、請求項１記載の発明の効果に加えて、吸塵ファン（４０）を支持する第１回転軸（４１Ａ）とステー（５０）に設けられた第２回転軸（４１Ｂ）を自在継手（４１Ｃ）で連結したので、吸塵ファン（４０）の送風方向をより容易に変更することができる。
【００１５】
請求項３記載の発明によれば、請求項２記載の発明の効果に加えて、第１回転軸（４１Ａ）が内嵌された第１筒部（５３Ａ）と第２回転軸（４１Ｂ）が内嵌された第２筒部（５３Ｂ）を扇状の調整プレート（６２）で連結し、調整プレート（６２）の基部を、第２筒部（５３Ｂ）に固定し、調整プレート（６２）の先端部と第１筒部（５３Ａ）の間にバネ座金（６７）を設け、調整プレート（６２）の先端部を、調整プレート（６２）の先端部に形成された円弧状の溝部（６２Ａ）に挿入された締結手段（６３）で着脱自在に固定したので、吸塵ファン（４０）から送風される風の方向を任意の角度に容易に設定することができる。
【００１６】
請求項４記載の発明によれば、請求項３記載の発明の効果に加えて、第１筒部（５３Ａ）に、第１筒部（５３Ａ）に沿って延在する操作レバー（６４）を設け、操作レバー（６４）の端部を、操縦部（５）に臨ませたので、操縦部（５）から吸塵ファン（４０）から送風される風の方向を任意の角度により容易に設定することができる。
【００１７】
請求項５記載の発明によれば、請求項１〜４のいずれか１項に記載の発明の効果に加えて、枠体（１０）の上壁に開閉自在な蓋カバー（６５）を設け、蓋カバー（６５）の左部に左側上方に折曲げた左傾斜部（６５Ａ）を形成したので、蓋カバー（６５）に堆積した塵埃を蓋カバー（６５）の左傾斜部（６５Ａ）に沿って左側上方の遠方に排出することができる。
【００１８】
請求項６記載の発明によれば、請求項１〜５のいずれか１項に記載の発明の効果に加えて、平面視において、枠体（１０）の上壁における右側前部に、吸塵ファン（４０）を設けたので、操縦部（５）に飛来してくる塵埃を集塵ファン（４０）で集塵して操縦部（５）の外部により効率的に排出することができる。
【００１９】
請求項７記載の発明によれば、請求項１〜６のいずれか１項に記載の発明の効果に加えて、第２回転軸（４１）の右部に第１プーリ（４４）を支持し、フィーダハウス（３Ｄ）の前後方向の中間部に、エンジンの出力回転が伝動される左右方向に延在する第３回転軸（１３）を設け、第３回転軸（１３）におけるフィーダハウス（３Ｄ）の右壁よりも右側に延出する部位に第２プーリ（４３）を支持し、第１プーリ（４４）と第２プーリ（４３）にベルト（４５）を巻回したので、エンジンの出力回転で吸塵ファン（４０）を回転させることができ、吸塵ファン（４０）を回転させるモータ等を別途に設ける必要がなくなる。
【図面の簡単な説明】
【００２０】
【図１】コンバインの平面図である。
【図２】コンバインの左側面図である。
【図３】コンバインの正面図である。
【図４】フィーダハウスの左側面図である。
【図５】フィーダハウスを左右方向に縦断面した正面図である。
【図６】フィーダハウスの右側面図である。
【図７】フィーダハウスを前後方向に縦断面した左側面図である。
【図８】吸塵ファンを備えるフィーダハウスを左右方向に縦断面した正面図である。
【図９】吸塵ファンを備えるフィーダハウスの左側面図である。
【図１０】吸塵ファンを備えるフィーダハウスの平面図であり、吸塵ファンの回転軸を左右方向に延在させた場合の形態である。
【図１１】吸塵ファンを備えるフィーダハウスの平面図であり、吸塵ファンの回転軸を右部から左側前方に延在させた場合の形態である。
【図１２】吸塵ファンの回転軸を右部から左側前方に延在させた吸塵ファンの平面視である。
【図１３】吸塵ファンの回転軸を右部から左側上方に延在させた吸塵ファンの背面視である。
【図１４】吸塵ファンの回転軸を右部から左側前方に延在させた吸塵ファンを固定するステーの説明図である。
【図１５】吸塵ファンの回転軸の移動を規制する規制プレートの説明図である。
【図１６】吸塵ファンの回転軸の移動を操作する操作レバーの平面図である。
【図１７】吸塵ファンの回転軸の移動を操作する操作レバーの左側面図である。
【発明を実施するための形態】
【００２１】
図１〜３に示すように、汎用コンバインは、機体フレーム１の下側に土壌面を走行する左右一対のクローラからなる走行装置２が設けられ、機体フレーム１の前側に圃場の穀稈を収穫する刈取前処理装置３が設けられ、刈取前処理装置３の後方左側に収穫された穀稈を脱穀・選別処理する脱穀装置４が設けられ、刈取前処理装置３の後方右側に操縦者が搭乗する操縦部５が設けられている。
【００２２】
操縦部５の前部には、操作レバー等が配置されたフロントパネル５Ａが設けられ、操縦部５の左部には、走行装置２の走行速度を増減速する変速レバー等が配置されたサイドパネル５Ｂが設けられている。また、操縦部５の下部には、エンジンを内装するエンジンルーム６が設けられ、操縦部５の後側には、脱穀・選別処理された穀粒を貯留するグレンタンク７が設けられ、グレンタンク７の後側には、穀粒を外部に排出する排出筒８が設けられている。排出筒８は、グレンタンク７の下部に連通され上下方向に延在する縦排出筒と、縦排出筒の上部に連通され前後方向に延在する横排出筒から形成されている。
【００２３】
刈取前処理装置３は、圃場の穀稈を起立させながら掻込んで後方に搬送する掻込装置３Ａと、後方に搬送された穀稈の株元を切断する刈刃装置３Ｂと、後方に搬送された穀稈を左側に寄せ集めるオーガ装置３Ｃと、寄せ集められた穀稈を脱穀装置４に搬送するフィーダハウス３Ｄから構成されている。
【００２４】
図４〜７に示すように、フィーダハウス３Ｄの枠体１０の左右壁の後部には、エンジンの出力回転が伝動される左右方向に延存する回転軸１１が架設され、回転軸１１の左部には、第１スプロケット１１Ａが支持されている。枠体１０の左壁の前部には、左右方向に延存する支軸１２が設けられ、支軸１２の左部には、第２スプロケット（図示省略）が回転自在に支持されている。なお、支軸１２の左部における第２スプロケットよりも左側部位には、エンジンの出力回転を掻込装置３Ａ等に伝動する第３スプロケット（図示省略）が並設されている。
【００２５】
枠体１０の左右壁の略中間部には、左右方向に延在する回転軸（請求項における「第３回転軸」）１３が架設されている。枠体１０の左壁よりも左側に延出した回転軸１３の左部には、スプロケット１４が支持されている。
【００２６】
回転軸１３は、左右方向に延在する円筒状の筒体１３Ａにベアリング１３Ｂを介して内装されている。これにより、枠体１０内を移送される穀稈が、回転軸１３に絡み付くのを防止することができる。  
【００２７】
枠体１０の左壁よりも左側に延出した回転軸１３の左部におけるスプロケット１４よりも右側部位には、テンションアーム１５のアーム１５Ａの基部が、回転自在に支持されている。テンションアーム１５は、アーム１５Ａと、アーム１５Ａの先端部に回転自在に支持されたスプロケット１５Ｂから形成されている。
【００２８】
アーム１５Ａの前後方向の中間部には、バネ等からなる付勢手段１６の下部が連結されている。付勢手段１６の上部は、枠体１０の左壁の上部に固定されている。テンションアーム１５は、後上がり姿勢に設けられ、付勢手段１６は、後下がり姿勢で設けられ、テンションアーム１５のアーム１５Ａと付勢手段１６とは、略９０度の交差角度をもって連結されている。
【００２９】
枠体１０の左壁における前側下部には、アイドラ１７が設けられ、枠体１０の左壁における回転軸１３よりも後側下部には、アイドラ１８とアイドラ１９が設けられている。
【００３０】
第１スプロケット１１Ａと、スプロケット１５Ｂと、スプロケット１４と、第２スプロケットと、アイドラ１７と、アイドラ１８と、アイドラ１９には、チェン２０が巻回されている。
【００３１】
これにより、エンジンの出力回転を掻込装置３Ａ等に伝動するチェン２０を駆動して、回転軸１３を回動することができる。また、チェン２０の張力は、テンションアーム１５によって適正な張力に調整され、チェン２０の左右と上下方向への蛇行もアイドラ１７〜１９によって抑制されている。
【００３２】
枠体１０の左壁には、スプロケット１４、テンションアーム１５、チェン２０等を覆う、外装カバー２１が着脱自在に設けられている。これにより、作業者がチェン２０等に接触することを防止することができる。
【００３３】
回転軸１１における枠体１０の内部に位置する部位には、回転体２２が支持され、回転体２２の外周部には、左右方向に所定の間隔を隔てて左スプロケット２３Ａと右スプロケット２３Ｂが並設されている。なお、本明細書では、左スプロケット２３Ａと右スプロケット２３Ｂを総称して後スプロケット２３と言う。
【００３４】
枠体１０の左右壁の前部には、左右方向に延在する回転軸２５が架設され、回転軸２５における枠体１０の内部に位置する部位には、回転体２６が支持され、回転体２６の外周部には、左右方向に所定の間隔を隔てて左スプロケット２７Ａと右スプロケット２７Ｂが並設されている。なお、本明細書では、左スプロケット２７Ａと右スプロケット２７Ｂを総称して前スプロケット２７と言う。
【００３５】
左スプロケット２３Ａと左スプロケット２７Ａには、左スラットチェン２８Ａが巻回され、右スプロケット２３Ｂと右スプロケット２７Ｂには、右スラットチェン２８Ｂが巻回されている。また、左スラットチェン２８Ａと右スラットチェン２８Ｂには、前後方向に所定の間隔を隔てて、略コの字状に形成されたスラット２９が架設されている。これにより、オーガ装置３Ｃからフィーダハウス３Ｄに搬送されてきた穀稈を後方に効率良く移送して脱穀装置に搬送することができる。なお、本明細書では、左スラットチェン２８Ａと右スラットチェン２８Ｂを総称してスラットチェン２８と言う。
【００３６】
図８〜１０に示すように、枠体１０の上壁における右側前部には、吸塵ファン４０が設けられている。これにより、フィーダハウス３Ｄを上昇させて待機姿勢に位置させた場合には、側面視において、吸塵ファン４０が操縦部５のサイドパネル５Ｂよりも上側に移動するので、吸塵ファン４０で操縦部５内に飛散している塵埃を吸塵して操縦部５の外部に塵埃を排出することができ、また、操縦部５内の空気を吸引して対流を起こし操縦部５内の熱気を外部に放出することができる。
【００３７】
吸塵ファン４０は、枠体１０の上壁における前部を覆うように設けられたプレート３０に着脱自在に固定されたステー５０に支持されている。
【００３８】
正面視において、プレート３０は、下側が開口された略コの字形状に形成され、プレート３０の上下方向に延在する左脚は枠体１０の左壁に着脱自在に固定され、プレート３０の上下方向に延在する右脚は枠体１０の右壁に着脱自在に固定されている。
【００３９】
ステー５０は、プレート３０の上面に着脱自在に取付けられる矩形状の固定部５１と、固定部５１の上面の右部に形成された上下方向に延在する柱部５２と、柱部５２の上部に形成された左右方向に延在する円筒状の筒部５３を備えている。
【００４０】
柱部５２を横方向に断面した形状は、左側が開口された略コの字形状に形成されている。これにより、柱部５２は、軽量で、剛性が高く、柱部５２に生じる変形を防止することができる。
【００４１】
正面視において、柱部５２の下部は、左下り傾斜に形成、すなわち、下側に向かうにしたがって左方向に延在して形成されている。また、左側面視において、固定部５１と柱部５２の下部は略三角形状のリブを設けるのが好ましい。これにより、柱部５２の下部の剛性を高めて、柱部５２の下部の変形をより防止することができる。
【００４２】
柱部５２の右面の上下方向の中間部には、後述するテンションアーム４６を回転自在に支持する左右方向に延在する支軸５５が設けられている。
【００４３】
筒部５３の左部には、吸塵ファン４０の外周部を覆うファンカバー５６を着脱自在に固定する円形状のプレート５７が設けられ、筒部５３の右部には、後述するベルトカバー４８を支持する支持部５８が設けられている。
【００４４】
吸塵ファン４０の基部は、左右方向に延在する回転軸４１の左部に着脱自在に固定されている。回転軸４１は、ベアリング４２を介して筒部５３に回転自在に内嵌されている。
【００４５】
フィーダハウス３Ｄに設けられた回転軸１３の右部にはプーリ（請求項における「第２プーリ」）４３が支持され、回転軸４１の右部にはプーリ（請求項における「第１プーリ」）４４が支持され、プーリ４３とプーリ４４にはベルト４５が巻回されている。これにより、エンジンの出力回転を回転軸１３、ベルト４５等を介して吸塵ファン４０に伝動して、吸塵ファン４０を回転させることができる。
【００４６】
ベルト４５の張力は、テンションアーム４６によって所定の張力に調整されている。テンションアーム４６は、基部が支軸５５に回転自在に支持されたアーム４６Ａと、アーム４６Ａの先端部に回転自在に支持されたプーリ４６Ｂから形成されている。
【００４７】
テンションアーム４６のプーリ４６Ｂは、支軸５５に装着されたコイルスプリング等の付勢手段４７によってベルト４５に押圧されている。付勢手段４７の上端部は、筒部５３に係合され、付勢手段４７の下端部は、アーム４６Ａに係合されている。これにより、ベルト４５の張力が適正な張力に維持されて、ベルト４５がプーリ４４等からの脱落するのを防止することができる。
【００４８】
ベルト４５の右側、すなわち、操縦部５側には、プーリ４３，４４、ベルト４５を右側から覆うベルトカバー４８が設けられている。これにより、操縦者がベルト４５等に接触するのを防止して安全性を高めることができる。また、ベルトカバー４８の上部は、筒部５３の設けられた支持部５８に支持されている。
【００４９】
図１１，１２に示すように、回転軸４１は、吸塵ファン４０が固定された第１回転軸４１Ａと、プーリ４４が固定された第２回転軸４１Ｂと、第１回転軸４１Ａの右部と第２回転軸４１Ｂの左部を連結するユニバーサルジョイント等の自在継手４１Ｃから形成されている。また、自在継手４１Ｃは、ゴム製のカバー（図示省略）で覆うのが好ましい。これにより、自在継手４１Ｃに付着する塵埃によって自在継手４１Ｃが作動不良に陥るのを防止することができる。
【００５０】
筒部５３は、第１回転軸４１Ａがベアリング４２を介して内嵌される第１筒部５３Ａと、第２回転軸４１Ｂがベアリング４２を介して内嵌される第２筒部５３Ｂから形成されている。
【００５１】
ファンカバー５６を固定するプレート５７は、第１筒部５３Ａに設けられ、ベルトカバー４８を支持する支持部は第２筒部５３Ｂの右部に設けられている。また、第２筒部５３Ｂは、柱部５２の上部に固定されている。
【００５２】
これにより、吸塵ファン４０が固定された第１回転軸４１Ａを、自在継手４１Ｃを介して左右方向に延在する第２回転軸４１Ｂに対して、前後方向、上下方向に所定の角度傾斜させることができる。
【００５３】
例えば、図１２に示すように、平面視において、第１回転軸４１Ａを、第２回転軸４１Ｂに対して前方に所定の角度回転させる、すなわち、第１回転軸４１Ａの左部を右部よりも左側前方に位置させると、第１回転軸４１Ａに固定された吸塵ファン４０の羽根は、前方から後方左側に向かって延在する姿勢になる。これにより、吸塵ファン４０から送風される風の方向を、左側から左側前方に向かって送風することができる。なお、図１２中の矢印は、吸塵ファン４０から送風される風の方向を示している。
【００５４】
図示を省略しているが、平面視において、第１回転軸４１Ａを、第２回転軸４１Ｂに対して後方に所定の角度回転させる、すなわち、第１回転軸４１Ａの左部を右部よりも左側後方に位置させると、第１回転軸４１Ａに固定された吸塵ファン４０の羽根は、前方から後方右側に向かって延在する姿勢になる。これにより、吸塵ファン４０から送風される風の方向を、左側から左側後方に向かって送風することができ、操縦部５から外部に排出された塵埃を進行方向の後方に向かって排出することができる。
【００５５】
また、図１３に示すように、背面視において、第１回転軸４１Ａを、第２回転軸４１Ｂに対して上方に所定の角度回転させる、すなわち、第１回転軸４１Ａの左部を右部よりも左側上方に位置させると、第１回転軸４１Ａに固定された吸塵ファン４０の羽根は、下方から上方右側に向かって延在する姿勢になる。これにより、吸塵ファン４０から送風される風の方向を、左側から左側上方に向かって送風することができ、操縦部５から外部に排出された塵埃を遠方に排出することができる。なお、図１３中の矢印は、吸塵ファン４０から送風される風の方向を示している。
【００５６】
図示を省略しているが、平面視において、第１回転軸４１Ａを、第２回転軸４１Ｂに対して下方に所定の角度回転させる、すなわち、第１回転軸４１Ａの左部を右部よりも左側下方に位置させると、第１回転軸４１Ａに固定された吸塵ファン４０の羽根は、下方から上方左側に向かって延在する姿勢になる。これにより、吸塵ファン４０から送風される風の方向を、左側から左側下方に向かって送風することができる。
【００５７】
図１４に示すように、第１回転軸４１Ａが内嵌された第１筒部５３Ａと第２回転軸４１Ｂが内嵌された第２筒部５３Ｂの前部は、略くの字状の固定用ステー６０によって連結されている。これにより、平面視において、第１回転軸４１Ａを、第２回転軸４１Ｂに対して前方に所定の角度回転させた状態を維持して、吸塵ファン４０から送風される風の方向を、左側から左側前方に向かって引続いて送風することができる。
【００５８】
また、図示は省略するが、第１回転軸４１Ａが内嵌された第１筒部５３Ａと第２回転軸４１Ｂが内嵌された第２筒部５３Ｂの上部を、略くの字状の固定用ステー６０により連結することもできる。これにより、背面視において、第１回転軸４１Ａを、第２回転軸４１Ｂに対して上方に所定の角度回転させた状態を維持して、吸塵ファン４０から送風される風の方向を、左側から左側上方に向かって引続いて送風することができる。
【００５９】
図１５に示すように、第１回転軸４１Ａが内嵌された第１筒部５３Ａと第２回転軸４１Ｂが内嵌された第２筒部５３Ｂの上部と下部は、上下一対の略扇状の調整プレート６２によって連結されている。
【００６０】
調整プレート６２の基部は、それぞれ第２筒部５３Ｂの上部と下部に固定されている。調整プレート６２の先端部には、自在継手４１Ｃの回転支軸を中心とする円弧状の溝部６２Ａが形成されており、調整プレート６２の先端部は、溝部６２Ａに挿通されたボルト等の締結手段６３によって第１筒部５３Ａの上部と下部に着脱自在に固定されている。これにより、平面視において、第１回転軸４１Ａを、第２回転軸４１Ｂに対して前方又は後方に所定の角度回転させて、操縦部５に浮遊する塵埃量に応じて吸塵ファン４０から送風される風の方向を設定することができる。
【００６１】
第１筒部５３Ａの上部と上側に位置する調整プレート６２の下部の間と、第１筒部５３Ａの下部と下側に位置する調整プレート６２の上部の間には、それぞれ上下一対のバネ座金６７が設けられている。これにより、バネ座金６７の摺動抵抗によって、第１回転軸４１Ａを、第２回転軸４１Ｂに対して前方又は後方に所定の角度回転させた状態を維持することができる。
【００６２】
また、図示は省略するが、前後一対の調整プレート６２の基部を第２筒部５３Ｂの前部と後部に固定し、調整プレート６２の先端部を、溝部６２Ａに挿通された締結手段６３によって第１筒部５３Ａの前部と後部に着脱自在に固定することもできる。これにより、背面視において、第１回転軸４１Ａを、第２回転軸４１Ｂに対して上方又は下方に所定の角度回転させて、操縦部５に浮遊する塵埃量に応じて吸塵ファン４０から送風される風の方向を設定することができる。
【００６３】
第１筒部５３Ａの前部と前側に位置する調整プレート６２の後部の間と、第１筒部５３Ａの後部と後側に位置する調整プレート６２の前部の間には、それぞれ前後一対のバネ座金６７が設けられている。これにより、バネ座金６７の摺動抵抗によって、第１回転軸４１Ａを、第２回転軸４１Ｂに対して上方又は下方に所定の角度回転させた状態を維持することができる。
【００６４】
図１６，１７に示すように、第１回転軸４１Ａが内嵌された第１筒部５３Ａに沿って延在する操作レバー６４を設け、操作レバー６４の先端部は、第１筒部５３Ａの上部に固定されている。これにより、操縦部５から操作レバー６４を操作して、第１回転軸４１Ａを、第２回転軸４１Ｂに対して所定の角度回転させて、操縦部５に浮遊する塵埃量に応じて吸塵ファン４０から送風される風の方向を設定することができる。
【００６５】
図１０に示すように、フィーダハウス３Ｄの上壁には、前後方向に所定の間隔を隔てて着脱自在な前蓋カバー（請求項における「蓋カバー」）６５と後蓋カバー６６が設けられている。これにより、前蓋カバー６５と後蓋カバー６６を取外して、フィーダハウス３Ｄの内部に詰まった穀稈を容易に取り除くことができる。
【００６６】
前蓋カバー６５の左端部には、左側上方に折り曲げられた左傾斜部６５Ａが形成されている。これにより、吸塵ファン４０から送風される風によって前蓋カバー６５上に堆積した塵埃を前蓋カバー６５の左傾斜部６５Ａに沿って左側上方の遠方に排出することができる。また、後蓋カバー６６の左端部にも左側上方に折り曲げられた左傾斜部を形成するのが好ましい。
【００６７】
枠体１０の左壁に設けられたスプロケット１４、テンションアーム１５、チェン２０等を覆う外装カバー２１の上壁を左上がり傾斜、すなわち、正面視において、外装カバー２１の上壁を右側から左側に行くにしたがって上方に形成することが好ましい。これにより、吸塵ファン４０から送風される風によって外装カバー２１の上壁に堆積した塵埃を、外装カバー２１の上壁に沿って左側上方の遠方に排出することができる。
【符号の説明】
【００６８】
１        機体フレーム
３        刈取前処理装置
３Ａ      掻込装置
３Ｂ      刈刃装置
３Ｃ      オーガ装置
３Ｄ      フィーダハウス
４        脱穀装置
５        操縦部
５Ｂ      サイドパネル
６        エンジンルーム
１０      枠体
１３      回転軸（第３回転軸）
４０      吸塵ファン
４１Ａ    第１回転軸
４１Ｂ    第２回転軸
４１Ｃ    自在継手
４３      プーリ（第２プーリ）
４４      プーリ（第１プーリ）
４５      ベルト
５０      ステー
５３Ａ    第１筒部
５３Ｂ    第２筒部
６２      調整プレート
６２Ａ    溝部
６３      締結手段
６４      操作レバー
６５      前蓋カバー（蓋カバー）
６５Ａ    左傾斜部
６７      バネ座金
【要約】
【課題】刈取前処理装置のオーガ装置から操縦部に飛来してきた塵埃を集塵すると共に、エンジンによって加熱された操縦部の空気を外部に排風することができるコンバインを提供する。
【解決手段】刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を脱穀装置（４）に搬送するフィーダハウス（３Ｄ）を備え、フィーダハウス（３Ｄ）の枠体（１０）の上壁に、ステー（５０）に支持された吸塵ファン（４０）を設け、側面視において、刈取前処理装置（３）を待機位置に上昇させた場合に、吸塵ファン（４０）が操縦部（５）のサイドパネル（５Ｂ）よりも上方に位置し、吸塵ファン（４０）の送風方向を変更可能に構成した。
【選択図】図１１【図１】
0006883285.tif 000002
【図２】
0006883285.tif 000003
【図３】
0006883285.tif 000004
【図４】
0006883285.tif 000005
【図５】
0006883285.tif 000006
【図６】
0006883285.tif 000007
【図７】
0006883285.tif 000008
【図８】
0006883285.tif 000009
【図９】
0006883285.tif 000010
【図１０】
0006883285.tif 000011
【図１１】
0006883285.tif 000012
【図１２】
0006883285.tif 000013
【図１３】
0006883285.tif 000014
【図１４】
0006883285.tif 000015
【図１５】
0006883285.tif 000016
【図１６】
0006883285.tif 000017
【図１７】
0006883285.tif 000018